(57)【特許請求の範囲】
【請求項１】
３原色信号及びクロック信号を入力し、前記クロック信号から色副搬送波を生成する色副搬送波生成手段を有し、前記３原色信号と前記色副搬送波とからカラー映像信号を生成するデジタルカラーエンコーダにおいて、
前記色副搬送波生成手段が、それぞれ異なる複数のデータテーブルを用いて、切り換え信号によって、互いに異なる周波数をもった複数のクロック信号から第１の同一周波数の色副搬送波を生成する第１の手段を有し、
前記色副搬送波生成手段が、それぞれ異なる複数のデータテーブルを用いて、切り換え信号によって、前記互いに異なる周波数をもった複数のクロック信号から第２の同一周波数の色副搬送波を生成する第２の手段を有し、
前記第１の手段により用いられる複数のデータテーブルそれぞれが、前記クロック信号によりアドレス指定され前記第１の同一周波数の色副搬送波となるデータを格納し、
前記第２の手段により用いられる複数のデータテーブルそれぞれが、前記クロック信号によりアドレス指定され前記第２の同一周波数の色副搬送波となるデータを格納することを特徴とするデジタルカラーエンコーダ。
【請求項２】
３原色信号及びクロック信号を入力し、前記クロック信号から色副搬送波を生成する色副搬送波生成手段を有し、前記３原色信号と前記色副搬送波とからカラー映像信号を生成するデジタルカラーエンコーダにおいて、前記色副搬送波生成手段が、それぞれ異なる複数のデータテーブルを用いて、切り換え信号によって、同一周波数のクロック信号から互いに異なる周波数をもった複数の色副搬送波を生成する手段を有し、前記複数のデータテーブルそれぞれが、前記クロック信号によりアドレス指定され前記周波数の色副搬送波となるデータを格納することを特徴とするデジタルカラーエンコーダ。
【請求項３】
前記色副搬送波生成手段が複数のＲＯＭを有し、それぞれのＲＯＭ内のデータ部にはそれぞれ異なるデータテーブルが格納されており、切り換え信号によって複数のＲＯＭのうちアクセスするＲＯＭを切り換えるＲＯＭ切り換え部を有することを特徴とする請求項１又は請求項２に記載のデジタルカラーエンコーダ。
【請求項４】
前記色副搬送波生成手段が１つのＲＯＭを有し、そのＲＯＭ内のデータ部は複数に分割されており、その複数に分割された各データ部にはそれぞれ異なるデータテーブルを格納しており、切り換え信号によって複数のデータ部のうちアクセスするデータ部を切り換えるデータ部切り換え部を有することを特徴とする請求項１又は請求項２に記載のデジタルカラーエンコーダ。
【請求項５】
前記色副搬送波生成手段が複数のＲＯＭを有し、それぞれのＲＯＭ内のデータ部は複数に分割されており、その複数に分割された各データ部にはそれぞれ異なるデータテーブルを格納しており、切り換え信号によって複数のＲＯＭのうちアクセスするＲＯＭを切り換えるＲＯＭ切り換え部と、切り換え信号によってＲＯＭ内の複数のデータ部のうちアクセスするデータ部を切り換えるデータ部切り換え部とを有することを特徴とする請求項１又は請求項２に記載のデジタルカラーエンコーダ。
【発明の詳細な説明】
【０００１】
【発明の属する技術分野】
本発明は、ＶＩＤＥＯ−ＣＤ、ＣＤ−Ｇなどのデジタル画像再生装置におけるテレビ受信機とのインターフェースであるデジタルカラーエンコーダに関するものである。
【０００２】
【従来の技術】
図１はデジタルカラーエンコーダのブロック図であって、１は色副搬送波生成部、２はエンコーダ部、３はＤ／Ａ変換部であって、まず、色副搬送波生成部１は入力したクロック信号ＣＬＫから色副搬送波ＳＣを生成し、エンコーダ部２へ供給する。エンコーダ部２は入力した３原色信号ＴＰＣと色副搬送波生成部１から得た色副搬送波ＳＣとからカラー映像信号ＶＢを生成する。カラー映像信号ＶＢは各種の同期信号ＳＹＮＣが多重化されて複合カラー映像信号ＶＢＳとなり、ここまではデジタル信号処理されているので、Ｄ／Ａ変換部３でアナログ信号に変換され、ＴＶ信号となって出力される。
【０００３】
色副搬送波生成部１での処理の様子をもう少し詳しく説明すると、従来技術においては、色副搬送波生成部１が、図９に示すように、アドレスデコーダ１０１とデータ部１０２を備えたＲＯＭ１０を有しており、クロック信号ＣＬＫの立ち上がりで、データ部１０２に格納しているデータテーブルからアドレスデコーダ１０１が指定するアドレスに格納しているデータを出力し、このようにして、ある周期で出力した各データを連続波形として信号（色副搬送波ＳＣ）を生成している。したがって、入力するクロック信号ＣＬＫの周波数（以下、クロックレートと表現する）と、必要とする色副搬送波ＳＣの周波数（以下、ｆSCと表現する）とを考慮して、言い換えれば、所定クロックレートのクロック信号ＣＬＫを入力した結果、必要なｆSCの色副搬送波を生成するように、データ部１０２にデータテーブルを格納している。
【０００４】
【発明が解決しようとする課題】
最近は、ＶＩＤＥＯ−ＣＤ、ＣＤ−Ｇなど、様々な仕様のデジタル画像再生装置が提供されており、使用しているクロックレートが、例えば、ＶＩＤＥＯ−ＣＤでは１３．５ＭＨｚ、ＣＤ−Ｇでは１４．３１８ＭＨｚというように、各仕様により異なっている。また、ＶＩＤＥＯ−ＣＤにいたっては、１３．５ＭＨｚに代わって２７．０ＭＨｚをクロックレートにもつものが主流になりつつあり、同一仕様のデジタル画像再生装置においても２種類のクロックレートが存在している状況である。
【０００５】
また、世界に目を向ければ、テレビジョン標準方式についても複数種類の方式が採用されており、各テレビジョン方式で必要としているｆSCが異なり、例えば、日本、アメリカなどの国々で採用されているＮＴＳＣ方式では３．５８ＭＨｚ、東南アジアの多くの国々で採用されているＰＡＬ方式では４．４３ＭＨｚとなっている。
【０００６】
しかしながら、従来のデジタルカラーエンコーダでは、１つのデータテーブルしかもっていないため、所定周波数のクロック信号ＣＬＫを入力し、所定周波数の色副搬送波ＳＣを生成する、つまり、１つのクロックレート、１つのｆSC（１組のクロックレートとｆＳＣ）にしか対応できないので、様々な仕様のデジタル画像再生装置を使用し、さらに、様々なテレビジョン方式に適合させようとすれば、デジタル画像再生装置の仕様の数とテレビジョン方式の数との組み合わせの数だけデジタルカラーエンコーダが必要になる。
【０００７】
そこで、本発明は、様々な仕様のデジタル画像再生装置に対応し、また、様々なテレビジョン方式に対応することができるデジタルカラーエンコーダを提供することを目的とする。
【０００８】
【課題を解決するための手段】
上記の目的を達成するため、請求項１に記載のデジタルカラーエンコーダでは、３原色信号及びクロック信号を入力し、前記クロック信号から色副搬送波を生成する色副搬送波生成手段を有し、前記３原色信号と前記色副搬送波とからカラー映像信号を生成するデジタルカラーエンコーダにおいて、前記色副搬送波生成手段が、それぞれ異なる複数のデータテーブルを用いて、切り換え信号によって、互いに異なる周波数をもった複数のクロック信号から第１の同一周波数の色副搬送波を生成する第１の手段を有し、前記色副搬送波生成手段が、それぞれ異なる複数のデータテーブルを用いて、切り換え信号によって、前記互いに異なる周波数をもった複数のクロック信号から第２の同一周波数の色副搬送波を生成する第２の手段を有し、前記第１の手段により用いられる複数のデータテーブルそれぞれが、前記クロック信号によりアドレス指定され前記第１の同一周波数の色副搬送波となるデータを格納し、前記第２の手段により用いられる複数のデータテーブルそれぞれが、前記クロック信号によりアドレス指定され前記第２の同一周波数の色副搬送波となるデータを格納することを特徴としている。
【００１１】
この構成によれば、デジタルカラーエンコーダが互いに異なる所定周波数をもった複数のクロック信号を入力しても、前記色副搬送波生成手段は同一周波数の色副搬送波を生成することができるとともに、生成する色副搬送波の周波数を切り換えることができるので、複数のクロックレート及び複数のｆSCに対応することができる。
【００１２】
また、請求項２に記載のデジタルカラーエンコーダでは、３原色信号及びクロック信号を入力し、前記クロック信号から色副搬送波を生成する色副搬送波生成手段を有し、前記３原色信号と前記色副搬送波とからカラー映像信号を生成するデジタルカラーエンコーダにおいて、前記色副搬送波生成手段が、それぞれ異なる複数のデータテーブルを用いて、切り換え信号によって、同一周波数のクロック信号から互いに異なる周波数をもった複数の色副搬送波を生成する手段を有し、前記複数のデータテーブルそれぞれが、前記クロック信号によりアドレス指定され前記前記周波数の色副搬送波となるデータを格納することを特徴としている。
【００１３】
この構成によれば、デジタルカラーエンコーダが同一周波数のクロック信号を入力しても、前記色副搬送波生成手段は互いに異なる所定周波数をもった複数の色副搬送波を生成することができるので、複数のｆSCに対応することができる。
【００１４】
また、請求項３に記載のデジタルカラーエンコーダでは、請求項１又は請求項２に記載のデジタルカラーエンコーダにおいて、前記色副搬送波生成手段が複数のＲＯＭを有し、それぞれのＲＯＭ内のデータ部にはそれぞれ異なるデータテーブルが格納されており、切り換え信号によって複数のＲＯＭのうちアクセスするＲＯＭを切り換えるＲＯＭ切り換え部を有することを特徴としている。
【００１５】
また、請求項４に記載のデジタルカラーエンコーダでは、請求項１又は請求項２に記載のデジタルカラーエンコーダにおいて、前記色副搬送波生成手段が１つのＲＯＭを有し、そのＲＯＭ内のデータ部は複数に分割されており、その複数に分割された各データ部にはそれぞれ異なるデータテーブルを格納しており、切り換え信号によって複数のデータ部のうちアクセスするデータ部を切り換えるデータ部切り換え部を有することを特徴としている。
【００１６】
また、請求項５に記載のデジタルカラーエンコーダでは、請求項１又は請求項２に記載のデジタルカラーエンコーダにおいて、前記色副搬送波生成手段が複数のＲＯＭを有し、それぞれのＲＯＭ内のデータ部は複数に分割されており、その複数に分割された各データ部にはそれぞれ異なるデータテーブルを格納しており、切り換え信号によって複数のＲＯＭのうちアクセスするＲＯＭを切り換えるＲＯＭ切り換え部と、切り換え信号によってＲＯＭ内の複数のデータ部のうちアクセスするデータ部を切り換えるデータ部切り換え部とを有することを特徴としている。
【００１７】
これら３つのそれぞれの構成は、請求項１又は請求項２に記載のそれぞれのデジタルカラーエンコーダの具体的な構成の一例を示すものであって、このようにすれば、複数のデータテーブルを格納し、それらを切り換えることができるので、複数のクロックレートまたは複数のｆSCに対応する、あるいは、複数のクロックレート及び複数のｆSCに対応することができる。
【００２１】
【発明の実施の形態】
以下に、本発明の実施形態を図面を参照しながら説明する。尚、デジタルカラーエンコーダとしての本質的な処理の流れは従来技術と同一なので説明は省略する。本発明の第１実施形態では、図１に示すデジタルカラーエンコーダにおいて、色副搬送波生成部１が、図２に示すように、第１ＲＯＭ１１、第２ＲＯＭ１２、スイッチ２１、２２を有しており、第１、第２ＲＯＭ１１、１２にはそれぞれアドレスデコーダ１１１、１２１とデータ部１１２、１２２が備えられており、スイッチ２１、２２により切り換えられたＲＯＭ内のデータ部に格納されたデータテーブルを用いて、従来技術に示した流れで入力したクロック信号ＣＬＫから色副搬送波ＳＣを生成する。
【００２２】
上記構成において、例えば、第１ＲＯＭ１１のデータ部１１２にはＶＩＤＥＯ−ＣＤのクロックレート１３．５ＭＨｚに対して、第２ＲＯＭ１２のデータ部１２２にはＣＤ−Ｇのクロックレート１４．３１８ＭＨｚに対して、それぞれｆSCがＮＴＳＣ方式の３．５８ＭＨｚとなるデータテーブルを格納しておけば、クロックレート切り換え信号ＫCによりスイッチ２１、２２を、クロックレートが１３．５ＭＨｚであれば第１ＲＯＭ側に、クロックレートが１４．３１８ＭＨｚであれば第２ＲＯＭ側に、切り換えることによって、テレビジョン方式がＮＴＳＣ方式である場合（ｆSCが３．５８ＭＨｚである場合）は、１３．５ＭＨｚと１４．３１８ＭＨｚとの２つのクロックレートに対応することができる、つまり、ＶＩＤＥＯ−ＣＤとＣＤ−Ｇとの２種類の仕様のデジタル画像再生装置に対応することができる。
【００２３】
ここで、この場合の第１ＲＯＭ１１のデータ部１１２及び第２ＲＯＭ１２のデータ部１２２に格納しているデータテーブルの例を挙げておく。第１ＲＯＭ１１のデータ部１１２に格納しているデータテーブルは１３．５ＭＨｚ→３．５８ＭＨｚの変換データであり、これによって１３．５ＭＨｚのクロック１３２発で３．５８ＭＨｚの色副搬送波のクロック３５発が生成され（図９参照）、データとしては１３２個のデータを有している。一方、第２ＲＯＭ１２のデータ部１２２に格納しているデータテーブルは１４．３１８ＭＨｚ→３．５８ＭＨｚの変換データであり、これによって１４．３１８ＭＨｚのクロック４発で３．５８ＭＨｚの色副搬送波のクロック１発が生成され（図１０参照）、データとしては４個のデータを有している。
【００２４】
また、その他の例として、ＶＩＤＥＯ−ＣＤのクロックレート１３．５ＭＨｚに対して、第１ＲＯＭ１１のデータ部１１２にはｆSCがＮＴＳＣ方式の３．５８ＭＨｚとなるデータテーブルを、第２ＲＯＭ１２のデータ部１２２にはｆSCがＰＡＬ方式の４．４３ＭＨｚとなるデータテーブルを、それぞれ格納しておけば、ｆSC切り換え信号Ｋfによりスイッチ２１、２２を、ｆSCが３．５８ＭＨｚであれば第１ＲＯＭ側に、ｆSCが４．４３ＭＨｚであれば第２ＲＯＭ側に、切り換えることによって、ＶＩＤＥＯ−ＣＤを使用する場合（クロックレートが１３．５ＭＨｚである場合）は、３．５８ＭＨｚと４．４３ＭＨｚとの２つのｆSCに対応することができる、つまり、ＮＴＳＣ方式とＰＡＬ方式との２種類のテレビジョン方式に対応することができる。
【００２５】
このように、複数のＲＯＭを設けることによって複数のデータテーブルを格納しておき、クロックレート切り換え信号ＫCあるいはｆSC切り換え信号Ｋfの切り換え信号によりアクセスするデータテーブルを切り換えれば、１つのテレビジョン方式においてはデータテーブル（ＲＯＭ）の数と同数の種類のクロックレートに対応することができ、使用するデジタル画像再生装置が１仕様である場合はデータテーブル（ＲＯＭ）の数と同数の種類のテレビジョン方式に対応することができる。
【００２６】
尚、クロックレート切り換え信号ＫC、ｆSC切り換え信号Ｋfについては、例えば、使用者が使用するデジタル画像再生装置、テレビジョン方式を切り換える際に行う入力に伴って発生するようにすれば良い。
【００２７】
また、上記第１実施形態においては、１つのＲＯＭに１つのデータテーブルをもたせたが、ＲＯＭのデータ部のデータ格納容量に余裕があれば、図３に示すようにデータ部を複数に分割し、分割された各データ部にデータテーブルを格納する、つまり、１つのＲＯＭに複数のデータテーブルをもたせておいても良く、このようにすれば、ＲＯＭのデータ部を有効に使用することができ、ＲＯＭの数が少なくて済む。この場合、アドレスデコーダに指定するアドレス郡を切り換えるように切り換え信号を与える必要がある。
【００２８】
次に、本発明の第２実施形態では、図１に示すデジタルカラーエンコーダのブロック図において、色副搬送波生成部１が、図４に示すように、第１ＲＯＭ１１、第２ＲＯＭ１２、第３ＲＯＭ１３、第４ＲＯＭ１４、スイッチ２１、２２、２３、２４、２５、２６を有しており、第１、第２、第３、第４ＲＯＭ１１、１２、１３、１４にはそれぞれアドレスデコーダ１１１、１２１、１３１、１４１とデータ部１１２、１２２、１３２、１４２が備えられており、スイッチ２１、２２、２３、２４、２５、２６により切り換えられたＲＯＭ内のデータ部に格納されたデータテーブルを用いて、従来技術に示した流れで入力したクロック信号ＣＬＫから色副搬送波ＳＣを生成する。
【００２９】
上記構成において、例えば、第１ＲＯＭ１１のデータ部１１２にはＶＩＤＥＯ−ＣＤのクロックレート１３．５ＭＨｚに対して、第２ＲＯＭ１２のデータ部１２２にはＣＤ−Ｇのクロックレート１４．３１８ＭＨｚに対して、それぞれｆSCがＮＴＳＣ方式の３．５８ＭＨｚとなるデータテーブルを格納しておき、第３ＲＯＭ１３のデータ部１３２にはＶＩＤＥＯ−ＣＤのクロックレート１３．５ＭＨｚに対して、第４ＲＯＭ１４のデータ部１４２にはＣＤ−Ｇのクロックレート１４．３１８ＭＨｚに対して、それぞれｆSCがＰＡＬ方式の４．４３ＭＨｚとなるデータテーブルを格納しておけば、クロックレート切り換え信号ＫC及びｆSC切り換え信号Ｋfによりスイッチ２１、２２、２３、２４、２５、２６を、クロックレート、ｆSCの組み合わせが、１３．５ＭＨｚ、３．５８ＭＨｚであれば第１ＲＯＭ側に、１４．３１８ＭＨｚ、３．５８ＭＨｚであれば第２ＲＯＭ側に、１３．５ＭＨｚ、４．４３ＭＨｚであれば第３ＲＯＭ側に、１４．３１８ＭＨｚ、４．４３ＭＨｚであれば第４ＲＯＭ側に、切り換えることによって、１３．５ＭＨｚと１４．３１８ＭＨｚとの２つのクロックレート及び３．５８ＭＨｚと４．４３ＭＨｚとの２つのｆSCに対応することができる、つまり、ＶＩＤＥＯ−ＣＤとＣＤ−Ｇとの２種類の仕様のデジタル画像再生装置に対応することができ、かつ、ＮＴＳＣ方式とＰＡＬ方式の２種類のテレビジョン方式に対応することができる。
【００３０】
このように、複数のＲＯＭを設けることによって複数のデータテーブルを格納しておき、クロックレート切り換え信号ＫC及びｆSC切り換え信号Ｋfの切り換え信号によりアクセスするデータテーブルを切り換えれば、データテーブルの数だけのクロックレートとｆSCとの組み合わせに対応することができ、複数の仕様のデジタル画像再生装置に対応し、かつ、複数のテレビジョン方式に対応することができる。
【００３１】
尚、クロックレート切り換え信号ＫC、ｆSC切り換え信号Ｋfについては、例えば、使用者が使用するデジタル画像再生装置、テレビジョン方式を切り換える際に行う入力に伴って発生するようにすれば良い。
【００３２】
また、上記第２実施形態においては、１つのＲＯＭに１つのデータテーブルをもたせたが、ＲＯＭのデータ部のデータ格納容量に余裕があれば、図５に示すようにデータ部を複数に分割し、分割された各データ部にデータテーブルを格納する、つまり、１つのＲＯＭに複数のデータテーブルをもたせておいても良く、このようにすれば、ＲＯＭのデータ部を有効に使用することができ、ＲＯＭの数が少なくて済む。この場合、アドレスデコーダに指定するアドレス郡を切り換えるように切り換え信号を与える必要がある。
【００３３】
次に、本発明の第３実施形態では、図１に示すデジタルカラーエンコーダのブロック図において、色副搬送波生成部１が、図６に示すように、第１ＲＯＭ１１、スイッチ２１、２２、周波数変換部３１を有しており、第１ＲＯＭ１１には、アドレスデコーダ１１１、データ部１１２が備えられており、ＲＯＭ内のデータ部に格納されたデータテーブルを用いて、従来技術に示した流れで周波数変換部３１を経たクロック信号ＣＬＫから色副搬送波ＳＣを生成する。
【００３４】
そして、第１ＲＯＭ１１のデータ部１１２には、クロックレート１３．５ＭＨｚからｆSC３．５８ＭＨｚを生成するデータテーブルが格納されており、周波数変換部３１には入力信号の周波数を１／２に分周する１／２経路と、周波数を変換しないスルー経路とが設けられている。
【００３５】
上記構成において、例えば、ＶＩＤＥＯ−ＣＤにて混在するクロックレート１３．５ＭＨｚ、２７．０ＭＨｚを入力対象とし、クロックレート切り換え信号ＫCによりスイッチ２１、２２を、クロックレートが１３．５ＭＨｚの場合は周波数変換部３１のスルー経路側に、クロックレートが２７．０ＭＨｚの場合は周波数変換部３１の１／２経路側に、切り換えれば、周波数変換部３１を経ることによって、クロックレートは１３．５ＭＨｚになるので、その後、第１ＲＯＭ１１のデータ部１１２に格納しているデータテーブルを用いて３．５８ＭＨｚのｆSCを生成することができる。
【００３６】
このようにして、クロック信号の周波数を所定周波数に変換する周波数変換部３１を設けておき、クロックレート切り換え信号ＫCの切り換え信号により周波数変換部３１内の経路を切り換えれば、データテーブルが１つであっても複数のクロックレートに、つまり、複数仕様のデジタル画像再生装置に対応することができる。
【００３７】
また、本第３実施形態におけるのと同じく、前述の第１実施形態においても複数のクロックレートに対応することができるが、それは複数のデータテーブルをもたせることによって実現したものであり、複数のＲＯＭを必要とする場合も有り得るが、本第３実施形態においては、周波数変換部３１を設けたことにより、データテーブルは１つで済むということ、及び、周波数変換部３１は具体的には主に分周器などで構成されているが、分周器はＲＯＭに比べて寸法的にはるかに小さいということからして、前述の第１実施形態よりもデジタルカラーエンコーダを小型化することができる。
【００３８】
尚、クロックレート切り換え信号ＫCについては、例えば、使用者が使用するデジタル画像再生装置を切り換える際に行う入力に伴って発生するようにしておけば良い。
【００３９】
また、上記第３実施形態においては、周波数変換部３１内の経路を２つにし、それらを周波数を１／２に分周するものと周波数を変化させないものとにしたが、もちろんこれらに限定する必要はなく、より多くの経路を設け、様々な分周あるいは倍周を行うようにしても良く、そうすることによってより多くのクロックレートに対応することができるようになる。
【００４０】
次に、本発明の第４実施形態では、図１に示すデジタルカラーエンコーダのブロック図において、色副搬送波生成部１が、図７に示すように、第１ＲＯＭ１１、第２ＲＯＭ１２、スイッチ２１、２２、２３、２４、周波数変換部３１を有しており、第１、第２ＲＯＭ１１、１２にはそれぞれアドレスデコーダ１１１、１２１とデータ部１１２、１２２が備えられており、スイッチ２３、２４により切り換えられたＲＯＭ内のデータ部に格納されたデータテーブルを用いて、従来技術に示した流れで周波数変換部３１を経たクロック信号ＣＬＫから色副搬送波ＳＣを生成する。
【００４１】
そして、第１ＲＯＭ１１のデータ部１１２には、ＶＩＤＥＯ−ＣＤの１つのクロックレートである１３．５ＭＨｚに対してｆSCがＮＴＳＣ方式の３．５８ＭＨｚとなるデータテーブルを、第２ＲＯＭ１２のデータ部１２２には、同じクロックレートである１３．５ＭＨｚに対してｆSCがＰＡＬ方式の４．４３ＭＨｚとなるデータテーブルを、それぞれ格納しており、周波数変換部３１には入力信号の周波数を１／２に分周する１／２経路と、周波数を変換しないスルー経路とが設けられている。
【００４２】
上記構成において、例えば、ＶＩＤＥＯ−ＣＤにて混在するクロックレート１３．５ＭＨｚ、２７．０ＭＨｚを入力対象とし、クロックレート切り換え信号ＫCによりスイッチ２１、２２を、クロックレートが１３．５ＭＨｚの場合は周波数変換部３１のスルー経路側に、クロックレートが２７．０ＭＨｚの場合は周波数変換部３１の１／２経路側に、切り換え、さらに、ｆSC切り換え信号Ｋfによりスイッチ２３、２４を切り換えれば、ＶＩＤＥＯ−ＣＤにて混在するクロックレート１３．５ＭＨｚと２７．０ＭＨｚに対応し、さらに、ＮＴＳＣ方式とＰＡＬ方式でのｆSC３．５８ＭＨｚと４．４３ＭＨｚに対応することができる。
【００４３】
このようにして、クロック信号の周波数を所定周波数に変換する周波数変換部３１と複数のデータテーブルを設けておき、切り換え信号ＫCにより周波数変換部３１内の経路を切り換え、切り換え信号Ｋfによりアクセスするデータテーブルをを切り換えれば、複数のクロックレート及び複数のｆSCに、つまり、複数の仕様のデジタル画像再生装置及び複数のテレビジョン方式に対応することができる。
【００４４】
また、本第４実施形態におけるのと同じく、前述の第２実施形態においても複数の仕様のデジタル画像再生装置及び複数のテレビジョン方式に対応することができるが、本第４実施形態では、周波数変換部３１を設けたことによって、前述の第２実施形態よりもデータテーブルの数が少なくて済み、これはＲＯＭの数が少なくて済むということにつながるということ、また、周波数変換部３１は具体的には主に分周器などで構成されているが、分周器はＲＯＭに比べて寸法的にはるかに小さいということからして、前述の第２実施形態よりもデジタルカラーエンコーダを小型化することができる。
【００４５】
尚、クロックレート切り換え信号ＫC、ｆSC切り換え信号Ｋfは、例えば、使用者が使用するデジタル画像再生装置、テレビジョン方式を切り換える際に行う入力に伴って発生するようにすれば良い。
【００４６】
また、上記第４実施形態においては、周波数変換部３１内の経路を２つにし、それらを周波数を１／２に分周するものと周波数を変化させないものとにしたが、もちろんこれらに限定する必要はなく、より多くの経路を設け、様々な分周あるいは倍周を行うようにしても良く、そうすることによってより多くのクロックレートに対応することができるようになる。
【００４７】
また、上記第４実施形態においては、１つのＲＯＭに１つのデータテーブルをもたせたが、ＲＯＭのデータ部のデータ格納容量に余裕があれば、図８に示すようにデータ部を複数に分割し、分割された各データ部にデータテーブルを格納する、つまり、１つのＲＯＭに複数のデータテーブルをもたせておいても良く、このようにすれば、ＲＯＭのデータ部を有効に使用することができ、ＲＯＭの数が少なくて済む。この場合、アドレスデコーダに指定するアドレス郡を切り換えるようにｆSC切り換え信号Ｋfを与える必要がある。
【００４８】
【発明の効果】
以上説明したように、本発明のデジタルカラーエンコーダによれば、複数のクロックレートまたは複数のｆSCに対応する、あるいは、複数のクロックレート及び複数のｆSCに対応することができるので、様々な仕様のデジタル画像再生装置、様々なテレビジョン方式に対応することができる。
【図面の簡単な説明】
【図１】  デジタルカラーエンコーダのブロック図。
【図２】  本発明のデジタルカラーエンコーダにおける色副搬送波生成手段１の一構成例を示す図。
【図３】  本発明のデジタルカラーエンコーダにおける色副搬送波生成手段１の一構成例を示す図。
【図４】  本発明のデジタルカラーエンコーダにおける色副搬送波生成手段１の一構成例を示す図。
【図５】  本発明のデジタルカラーエンコーダにおける色副搬送波生成手段１の一構成例を示す図。
【図６】  本発明のデジタルカラーエンコーダにおける色副搬送波生成手段１の一構成例を示す図。
【図７】  本発明のデジタルカラーエンコーダにおける色副搬送波生成手段１の一構成例を示す図。
【図８】  本発明のデジタルカラーエンコーダにおける色副搬送波生成手段１の一構成例を示す図。
【図９】  周波数が１３．５ＭＨｚのクロック信号から周波数が３．５８ＭＨｚの色副搬送波が生成される様子を示す図。
【図１０】  周波数が１４．３１８ＭＨｚのクロック信号から周波数が３．５８ＭＨｚの色副搬送波が生成される様子を示す図。
【図１１】  従来のデジタルカラーエンコーダにおける色副搬送波生成手段１の構成を示す図。
【符号の説明】
１  色副搬送波生成手段
２  エンコーダ部
３  Ｄ／Ａ変換部
１０  ＲＯＭ
１１  第１ＲＯＭ
１２  第２ＲＯＭ
１３  第３ＲＯＭ
１４  第４ＲＯＭ
２１、２２、２３、２４、２５、２６  スイッチ
３１  周波数変換部
１０１、１１１、１２１、１３１、１４１  アドレスデコーダ
１０２、１１２、１２２、１３２、１４２  データ部
ＣＬＫ  クロック信号
ＴＰＣ  ３原色信号
ＳＹＮＣ  各種の同期信号
ＳＣ  色副搬送波
ＶＢ  カラー映像信号
ＶＢＳ  複合カラー映像信号
ＫC  クロックレート切り換え信号
Ｋf  ｆSC切り換え信号
【図１】
0003953124.tif 000002
【図２】
0003953124.tif 000003
【図３】
0003953124.tif 000004
【図４】
0003953124.tif 000005
【図５】
0003953124.tif 000006
【図６】
0003953124.tif 000007
【図７】
0003953124.tif 000008
【図８】
0003953124.tif 000009
【図９】
0003953124.tif 000010
【図１０】
0003953124.tif 000011
【図１１】
0003953124.tif 000012